(57)【要約】【課題】オゾンによって対象物を処理する場合において、不要なオゾンを永続的かつ低コストで分解させることができる電気機器およびフィルタを提供すること。【解決手段】オゾンを溜めることができる処理槽５１を有し、処理槽５１内の収容物をオゾンによって処理することができる電気機器５０は、流出路５５と、フィルタ１とを含む。流出路５５は、その一端５５Ａが処理槽５１に接続され、処理槽５１内のオゾンを当該一端５５Ａから流出させる。フィルタ１は、流出路５５に組み込まれ、一定長さ以上のジグザグ流路４０を有する。フィルタ１は、当該ジグザグ流路４０をオゾンが通る際に流路側壁４０Ａにオゾンを衝突させながら通すことによって、オゾンの自然分解を促進させる。【選択図】図６
2014151111.tif 000002
【特許請求の範囲】
【請求項１】
オゾンを溜めることができる処理槽を有し、前記処理槽内の収容物をオゾンによって処理することができる電気機器において、
前記処理槽に一端が接続され、前記処理槽内のオゾンを当該一端から流出させる流出路と、
前記流出路に組み込まれ、一定長さ以上のジグザグ流路を有し、当該ジグザグ流路をオゾンが通る際に流路側壁にオゾンを衝突させながら通すことによって、オゾンの自然分解を促進させるフィルタとを含むことを特徴とする、電気機器。
【請求項２】
前記処理槽が、洗濯物を収容するための洗濯槽を含み、
洗濯機であることを特徴とする、請求項１記載の電気機器。
【請求項３】
前記洗濯槽は、洗濯物を収容して回転する内槽と、前記内槽を収容し、位置が固定された外槽とを含み、
前記流出路の一端は、前記外槽内上部に臨み、前記流出路の少なくとも一部は、前記外槽の外壁に沿って配置されていることを特徴とする、請求項１または２記載の電気機器。
【請求項４】
前記フィルタは、
気体が流入する入口と、
流入した気体を流出させる出口と、
前記入口と前記出口との間において、所定の配列パターンで配列された複数の第１凹部と、
前記第１凹部とは逆の方向へ窪み、前記入口と前記出口との間において、所定の配列パターンで配列された複数の第２凹部とを含み、
隣り合う複数の前記第１凹部に対して１つの前記第２凹部が跨って対向するように、前記第１凹部および第２凹部がずれて対向されることによって、前記ジグザグ流路が構成されていることを特徴とする、請求項１〜３のいずれかに記載の電気機器。
【請求項５】
前記第１凹部および第２凹部のそれぞれは、開口が多角形をした筒状凹部を含むことを特徴とする、請求項４記載の電気機器。
【請求項６】
前記第１凹部および第２凹部のそれぞれは、六角形の前記開口を有し、ハニカム状に配列されていることを特徴とする、請求項５記載の電気機器。
【請求項７】
前記フィルタは、複数のフィルタ素子の積層体を含み、
個々の前記フィルタ素子は、前記複数の第１凹部が形成された第１面と、前記第１面とは反対側にあり、前記複数の第２凹部が形成された第２面と、前記第１面側と前記第２面側とを連通するように前記フィルタ素子を貫通する開口部とを有し、
積層方向に隣り合う２つの前記フィルタ素子において一方の前記フィルタ素子における前記第１面と他方の前記フィルタ素子における前記第２面とが対向するように、前記複数のフィルタ素子が積層されることによって、前記フィルタが構成されていることを特徴とする、請求項４〜６のいずれかに記載の電気機器。
【請求項８】
前記フィルタ素子は、所定方向に長手であり、前記開口部は、前記フィルタ素子において長手方向一端部に形成されており、
隣り合って積層された前記フィルタ素子では、互いの前記開口部が前記長手方向における反対側に位置するように、前記長手方向における向きが逆になっていることを特徴とする、請求項７記載の電気機器。
【請求項９】
前記フィルタ素子に設けられ、隣り合って積層された前記フィルタ素子同士を位置決めする位置決め部を含むことを特徴とする、請求項７または８記載の電気機器。
【請求項１０】
オゾンを溜めることができる処理槽を有し、前記処理槽内の収容物をオゾンによって処理することができる電気機器において、
前記処理槽に一端および他端が接続され、前記処理槽内の空気を一端から取り出して他端から前記処理槽内に戻す循環路と、
前記循環路に組み込まれ、一定長さ以上のジグザグ流路を有し、当該ジグザグ流路をオゾンが通る際に流路側壁にオゾンを衝突させながら通すことによって、オゾンの自然分解を促進させるフィルタとを含むことを特徴とする、電気機器。
【請求項１１】
前記循環路は、バイパス接続されたバイパス流路を含み、
前記処理槽から前記循環路に取り込まれた空気を前記バイパス流路に流すか否かを切り換える切換手段とを含み、
前記フィルタは、前記バイパス流路に設けられていることを特徴とする、請求項１０記載の電気機器。
【請求項１２】
前記処理槽に一端が接続され、前記処理槽内のオゾンを当該一端から流出させる流出路を含み、
前記フィルタは、前記流出路にも設けられていることを特徴とする、請求項１１記載の電気機器。
【請求項１３】
前記処理槽が、洗濯物を収容するための洗濯槽を含み、
洗濯機であることを特徴とする、請求項１０〜１２のいずれかに記載の電気機器。
【請求項１４】
前記フィルタは、
気体が流入する入口と、
流入した気体を流出させる出口と、
前記入口と前記出口との間において、所定の配列パターンで配列された複数の第１凹部と、
前記第１凹部とは逆の方向へ窪み、前記入口と前記出口との間において、所定の配列パターンで配列された複数の第２凹部とを含み、
隣り合う複数の前記第１凹部に対して１つの前記第２凹部が跨って対向するように、前記第１凹部および第２凹部がずれて対向されることによって、前記ジグザグ流路が構成されていることを特徴とする、請求項１０〜１３のいずれかに記載の電気機器。
【請求項１５】
前記第１凹部および第２凹部のそれぞれは、開口が多角形をした筒状凹部を含むことを特徴とする、請求項１４記載の電気機器。
【請求項１６】
前記第１凹部および第２凹部のそれぞれは、六角形の前記開口を有し、ハニカム状に配列されていることを特徴とする、請求項１５記載の電気機器。
【請求項１７】
前記フィルタは、複数のフィルタ素子の積層体を含み、
個々の前記フィルタ素子は、前記複数の第１凹部が形成された第１面と、前記第１面とは反対側にあり、前記複数の第２凹部が形成された第２面と、前記第１面側と前記第２面側とを連通するように前記フィルタ素子を貫通する開口部とを有し、
積層方向に隣り合う２つの前記フィルタ素子において一方の前記フィルタ素子における前記第１面と他方の前記フィルタ素子における前記第２面とが対向するように、前記複数のフィルタ素子が積層されることによって、前記フィルタが構成されていることを特徴とする、請求項１４〜１６のいずれかに記載の電気機器。
【請求項１８】
前記フィルタ素子は、所定方向に長手であり、前記開口部は、前記フィルタ素子において長手方向一端部に形成されており、
隣り合って積層された前記フィルタ素子では、互いの前記開口部が前記長手方向における反対側に位置するように、前記長手方向における向きが逆になっていることを特徴とする、請求項１７記載の電気機器。
【請求項１９】
前記フィルタ素子に設けられ、隣り合って積層された前記フィルタ素子同士を位置決めする位置決め部を含むことを特徴とする、請求項１７または１８記載の電気機器。
【請求項２０】
オゾンの自然分解を促進させるフィルタであって、
気体が流入する入口と、
流入した気体を流出させる出口と、
前記入口と前記出口との間において、所定の配列パターンで配列された複数の第１凹部と、
前記第１凹部とは逆の方向へ窪み、前記入口と前記出口との間において、所定の配列パターンで配列された複数の第２凹部と、
隣り合う複数の前記第１凹部に対して１つの前記第２凹部が跨って対向するように、前記第１凹部および第２凹部がずれて対向されることにより構成され、前記入口と前記出口とをつなぐ一定長さ以上のジグザグ流路とを含むことを特徴とする、フィルタ。
【請求項２１】
前記第１凹部および第２凹部のそれぞれは、開口が多角形をした筒状凹部を含むことを特徴とする、請求項２０記載のフィルタ。
【請求項２２】
前記第１凹部および第２凹部のそれぞれは、六角形の前記開口を有し、ハニカム状に配列されていることを特徴とする、請求項２１記載のフィルタ。
【請求項２３】
前記フィルタは、複数のフィルタ素子の積層体を含み、
個々の前記フィルタ素子は、前記複数の第１凹部が形成された第１面と、前記第１面とは反対側にあり、前記複数の第２凹部が形成された第２面と、前記第１面側と前記第２面側とを連通するように前記フィルタ素子を貫通する開口部とを有し、
積層方向に隣り合う２つの前記フィルタ素子において一方の前記フィルタ素子における前記第１面と他方の前記フィルタ素子における前記第２面とが対向するように、前記複数のフィルタ素子が積層されることによって、前記フィルタが構成されていることを特徴とする、請求項２０〜２２のいずれかに記載のフィルタ。
【請求項２４】
前記フィルタ素子は、所定方向に長手であり、前記開口部は、前記フィルタ素子において長手方向一端部に形成されており、
隣り合って積層された前記フィルタ素子では、互いの前記開口部が前記長手方向における反対側に位置するように、前記長手方向における向きが逆になっていることを特徴とする、請求項２３記載のフィルタ。
【請求項２５】
前記フィルタ素子に設けられ、隣り合って積層された前記フィルタ素子同士を位置決めする位置決め部を含むことを特徴とする、請求項２３または２４記載のフィルタ。
【請求項２６】
前記処理槽内のオゾンを流出させる流出路、および、前記処理槽内の空気を一端から取り出して他端から前記処理槽内に戻す循環路の少なくともいずれかを含み、
前記流出路および循環路の少なくともいずれかに前記フィルタと共に組み込まれ、触媒によってオゾンを分解する触媒フィルタを含むことを特徴とする、請求項１〜１９のいずれかに記載の電気機器。
【発明の詳細な説明】
【技術分野】
【０００１】
この発明は、オゾンを分解させるフィルタを含む電気機器、および、当該フィルタに関する。
【背景技術】
【０００２】
従来より、オゾンを利用して対象物等を除菌および脱臭することが知られている。下記特許文献１には、衣類を収容する洗濯水槽と、オゾン発生装置とを備え、オゾン発生装置が発生したオゾンで洗濯水槽内の衣類を除菌および脱臭することができる洗濯機が提案されている。ここで、オゾンの臭いは、人によっては不快感を与える虞がある。また、濃度が濃いオゾンは、健康上好ましくない。そこで、この洗濯機には、不要なオゾンを機内で分解する分解フィルターが備えられている。この分解フィルターは、オゾンを分解可能な触媒を担体に担持させたものであり、この触媒として、オゾンの分解効果の高い活性炭が用いられている。
【先行技術文献】
【特許文献】
【０００３】
【特許文献１】特開２０１１−２４４９８４号公報
【発明の概要】
【発明が解決しようとする課題】
【０００４】
触媒を用いた分解フィルターだと、触媒に寿命があるため、永続的なオゾンの分解については、限界がある。また、寿命になった触媒を交換しなければならない点や、触媒自体が高価である点で、コスト上の懸念がある。
この発明は、かかる背景のもとでなされたもので、オゾンによって対象物を処理する場合において、不要なオゾンを永続的かつ低コストで分解させることができる電気機器およびフィルタを提供することを主たる目的とする。
【０００５】
また、この発明は、オゾンによって対象物を処理する場合において、オゾンの分解効率の向上を図ることができる電気機器およびフィルタを提供することを別の目的とする。
【課題を解決するための手段】
【０００６】
請求項１記載の発明は、オゾンを溜めることができる処理槽を有し、前記処理槽内の収容物をオゾンによって処理することができる電気機器において、前記処理槽に一端が接続され、前記処理槽内のオゾンを当該一端から流出させる流出路と、前記流出路に組み込まれ、一定長さ以上のジグザグ流路を有し、当該ジグザグ流路をオゾンが通る際に流路側壁にオゾンを衝突させながら通すことによって、オゾンの自然分解を促進させるフィルタとを含むことを特徴とする、電気機器である。
【０００７】
請求項２記載の発明は、前記処理槽が、洗濯物を収容するための洗濯槽を含み、洗濯機であることを特徴とする、請求項１記載の電気機器である。
請求項３記載の発明は、前記洗濯槽は、洗濯物を収容して回転する内槽と、前記内槽を収容し、位置が固定された外槽とを含み、前記流出路の一端は、前記外槽内上部に臨み、前記流出路の少なくとも一部は、前記外槽の外壁に沿って配置されていることを特徴とする、請求項１または２記載の電気機器である。
【０００８】
請求項４記載の発明は、前記フィルタは、気体が流入する入口と、流入した気体を流出させる出口と、前記入口と前記出口との間において、所定の配列パターンで配列された複数の第１凹部と、前記第１凹部とは逆の方向へ窪み、前記入口と前記出口との間において、所定の配列パターンで配列された複数の第２凹部とを含み、隣り合う複数の前記第１凹部に対して１つの前記第２凹部が跨って対向するように、前記第１凹部および第２凹部がずれて対向されることによって、前記ジグザグ流路が構成されていることを特徴とする、請求項１〜３のいずれかに記載の電気機器である。
【０００９】
請求項５記載の発明は、前記第１凹部および第２凹部のそれぞれは、開口が多角形をした筒状凹部を含むことを特徴とする、請求項４記載の電気機器である。
請求項６記載の発明は、前記第１凹部および第２凹部のそれぞれは、六角形の前記開口を有し、ハニカム状に配列されていることを特徴とする、請求項５記載の電気機器である。
【００１０】
請求項７記載の発明は、前記フィルタは、複数のフィルタ素子の積層体を含み、個々の前記フィルタ素子は、前記複数の第１凹部が形成された第１面と、前記第１面とは反対側にあり、前記複数の第２凹部が形成された第２面と、前記第１面側と前記第２面側とを連通するように前記フィルタ素子を貫通する開口部とを有し、積層方向に隣り合う２つの前記フィルタ素子において一方の前記フィルタ素子における前記第１面と他方の前記フィルタ素子における前記第２面とが対向するように、前記複数のフィルタ素子が積層されることによって、前記フィルタが構成されていることを特徴とする、請求項４〜６のいずれかに記載の電気機器である。
【００１１】
請求項８記載の発明は、前記フィルタ素子は、所定方向に長手であり、前記開口部は、前記フィルタ素子において長手方向一端部に形成されており、隣り合って積層された前記フィルタ素子では、互いの前記開口部が前記長手方向における反対側に位置するように、前記長手方向における向きが逆になっていることを特徴とする、請求項７記載の電気機器である。
【００１２】
請求項９記載の発明は、前記フィルタ素子に設けられ、隣り合って積層された前記フィルタ素子同士を位置決めする位置決め部を含むことを特徴とする、請求項７または８記載の電気機である。
請求項１０記載の発明は、オゾンを溜めることができる処理槽を有し、前記処理槽内の収容物をオゾンによって処理することができる電気機器において、前記処理槽に一端および他端が接続され、前記処理槽内の空気を一端から取り出して他端から前記処理槽内に戻す循環路と、前記循環路に組み込まれ、一定長さ以上のジグザグ流路を有し、当該ジグザグ流路をオゾンが通る際に流路側壁にオゾンを衝突させながら通すことによって、オゾンの自然分解を促進させるフィルタとを含むことを特徴とする、電気機器である。
【００１３】
請求項１１記載の発明は、前記循環路は、バイパス接続されたバイパス流路を含み、前記処理槽から前記循環路に取り込まれた空気を前記バイパス流路に流すか否かを切り換える切換手段とを含み、前記フィルタは、前記バイパス流路に設けられていることを特徴とする、請求項１０記載の電気機器である。
請求項１２記載の発明は、前記処理槽に一端が接続され、前記処理槽内のオゾンを当該一端から流出させる流出路を含み、前記フィルタは、前記流出路にも設けられていることを特徴とする、請求項１１記載の電気機器である。
【００１４】
請求項１３記載の発明は、前記処理槽が、洗濯物を収容するための洗濯槽を含み、洗濯機であることを特徴とする、請求項１０〜１２のいずれかに記載の電気機器である。
請求項１４記載の発明は、前記フィルタは、気体が流入する入口と、流入した気体を流出させる出口と、前記入口と前記出口との間において、所定の配列パターンで配列された複数の第１凹部と、前記第１凹部とは逆の方向へ窪み、前記入口と前記出口との間において、所定の配列パターンで配列された複数の第２凹部とを含み、隣り合う複数の前記第１凹部に対して１つの前記第２凹部が跨って対向するように、前記第１凹部および第２凹部がずれて対向されることによって、前記ジグザグ流路が構成されていることを特徴とする、請求項１０〜１３のいずれかに記載の電気機器である。
【００１５】
請求項１５記載の発明は、前記第１凹部および第２凹部のそれぞれは、開口が多角形をした筒状凹部を含むことを特徴とする、請求項１４記載の電気機器である。
請求項１６記載の発明は、前記第１凹部および第２凹部のそれぞれは、六角形の前記開口を有し、ハニカム状に配列されていることを特徴とする、請求項１５記載の電気機器である。
【００１６】
請求項１７記載の発明は、前記フィルタは、複数のフィルタ素子の積層体を含み、個々の前記フィルタ素子は、前記複数の第１凹部が形成された第１面と、前記第１面とは反対側にあり、前記複数の第２凹部が形成された第２面と、前記第１面側と前記第２面側とを連通するように前記フィルタ素子を貫通する開口部とを有し、積層方向に隣り合う２つの前記フィルタ素子において一方の前記フィルタ素子における前記第１面と他方の前記フィルタ素子における前記第２面とが対向するように、前記複数のフィルタ素子が積層されることによって、前記フィルタが構成されていることを特徴とする、請求項１４〜１６のいずれかに記載の電気機器である。
【００１７】
請求項１８記載の発明は、前記フィルタ素子は、所定方向に長手であり、前記開口部は、前記フィルタ素子において長手方向一端部に形成されており、隣り合って積層された前記フィルタ素子では、互いの前記開口部が前記長手方向における反対側に位置するように、前記長手方向における向きが逆になっていることを特徴とする、請求項１７記載の電気機器である。
【００１８】
請求項１９記載の発明は、前記フィルタ素子に設けられ、隣り合って積層された前記フィルタ素子同士を位置決めする位置決め部を含むことを特徴とする、請求項１７または１８記載の電気機器である。
請求項２０記載の発明は、オゾンの自然分解を促進させるフィルタであって、気体が流入する入口と、流入した気体を流出させる出口と、前記入口と前記出口との間において、所定の配列パターンで配列された複数の第１凹部と、前記第１凹部とは逆の方向へ窪み、前記入口と前記出口との間において、所定の配列パターンで配列された複数の第２凹部と、隣り合う複数の前記第１凹部に対して１つの前記第２凹部が跨って対向するように、前記第１凹部および第２凹部がずれて対向されることにより構成され、前記入口と前記出口とをつなぐ一定長さ以上のジグザグ流路とを含むことを特徴とする、フィルタである。
【００１９】
請求項２１記載の発明は、前記第１凹部および第２凹部のそれぞれは、開口が多角形をした筒状凹部を含むことを特徴とする、請求項２０記載のフィルタである。
請求項２２記載の発明は、前記第１凹部および第２凹部のそれぞれは、六角形の前記開口を有し、ハニカム状に配列されていることを特徴とする、請求項２１記載のフィルタである。
【００２０】
請求項２３記載の発明は、前記フィルタは、複数のフィルタ素子の積層体を含み、個々の前記フィルタ素子は、前記複数の第１凹部が形成された第１面と、前記第１面とは反対側にあり、前記複数の第２凹部が形成された第２面と、前記第１面側と前記第２面側とを連通するように前記フィルタ素子を貫通する開口部とを有し、積層方向に隣り合う２つの前記フィルタ素子において一方の前記フィルタ素子における前記第１面と他方の前記フィルタ素子における前記第２面とが対向するように、前記複数のフィルタ素子が積層されることによって、前記フィルタが構成されていることを特徴とする、請求項２０〜２２のいずれかに記載のフィルタである。
【００２１】
請求項２４記載の発明は、前記フィルタ素子は、所定方向に長手であり、前記開口部は、前記フィルタ素子において長手方向一端部に形成されており、隣り合って積層された前記フィルタ素子では、互いの前記開口部が前記長手方向における反対側に位置するように、前記長手方向における向きが逆になっていることを特徴とする、請求項２３記載のフィルタである。
【００２２】
請求項２５記載の発明は、前記フィルタ素子に設けられ、隣り合って積層された前記フィルタ素子同士を位置決めする位置決め部を含むことを特徴とする、請求項２３または２４記載のフィルタである。
請求項２６記載の発明は、前記処理槽内のオゾンを流出させる流出路、および、前記処理槽内の空気を一端から取り出して他端から前記処理槽内に戻す循環路の少なくともいずれかを含み、前記流出路および循環路の少なくともいずれかに前記フィルタと共に組み込まれ、触媒によってオゾンを分解する触媒フィルタを含むことを特徴とする、請求項１〜１９のいずれかに記載の電気機器である。
【発明の効果】
【００２３】
請求項１記載の発明によれば、処理槽から流出路に流出したオゾンは、フィルタにおいてジグザグ流路を流路側壁に衝突しながら通り、これによって、自然分解される。つまり、オゾンを、ジグザグ流路において流路側壁に衝突させながら通過させるといった構造的（換言すれば、機械的、力学的、物理的）な方法により分解させることができる。そのため、寿命があって高価な触媒等によってオゾンを分解したり吸着したりするという手段を用いずに済む。また、ジグザグ流路が存在しさえすれば、永続的にオゾンを分解できる。
【００２４】
よって、オゾンによって対象物を処理する場合において、不要なオゾンを永続的かつ低コストで分解させることができる。
請求項２記載の発明のように、電気機器は、処理槽を洗濯槽とする洗濯機であってもよい。その場合、請求項３記載の発明のように、洗濯槽を、内槽と外槽とを含むように構成してもよい。流出路の一端が外槽内上部に臨み、流出路の少なくとも一部が外槽の外壁に沿って配置されていると、洗濯機内における外槽周りのスペースを有効利用して流出路を配置できる。
【００２５】
請求項４記載の発明によれば、フィルタでは、入口と出口との間にジグザグ流路が形成されていて、入口から流入して出口に向かうオゾンをジグザグ流路において自然分解させることができる。ここで、隣り合う複数の第１凹部に対して１つの第２凹部が跨って対向するように、第１凹部および第２凹部をずれて対向させることによって、フィルタのジグザグ流路をシンプルに構成することができる。
【００２６】
請求項５記載の発明のように、第１凹部および第２凹部のそれぞれは、開口が多角形をした筒状凹部であれば、第１凹部および第２凹部のそれぞれを、多く（高密度で）配列できる。これにより、ジグザグ流路を長くすることができ、その分、オゾンをジグザグ流路において流路側壁にたくさん衝突させることができるので、オゾンの分解効率の向上を図ることができる。
【００２７】
特に、請求項６記載の発明のように、第１凹部および第２凹部のそれぞれが、六角形の開口を有し、ハニカム状に配列されていれば、第１凹部および第２凹部のそれぞれを、より多く（高密度で）配列できるので、ジグザグ流路を一層長くすることができる。また、ハニカム状に配列された第１凹部および第２凹部では、高い強度を発揮できる。
請求項７記載の発明によれば、複数のフィルタ素子の積層体によって、フィルタを構成することができる。フィルタでは、積層方向に隣り合う２つのフィルタ素子において、一方のフィルタ素子における第１面（第１凹部）と他方のフィルタ素子における第２面（第２凹部）とによって、ジグザグ流路が形成されている。そして、当該一方のフィルタ素子の開口部が入口として機能することができ、当該他方のフィルタ素子の開口部が出口として機能することができる。このフィルタでは、積層するフィルタ素子の数を変更することによって、ジグザグ流路の長さを変えて、オゾンの分解能力を調整できる。
【００２８】
請求項８記載の発明によれば、ジグザグ流路は、隣り合うフィルタ素子の開口部間ではフィルタ素子の長手方向に沿い、各開口部では長手方向における向きを反転させるように、フィルタ全体で蛇行しながら延びている。そのため、限られた大きさのフィルタにおいて、ジグザグ流路の全長を極力長く確保し、その分、オゾンをジグザグ流路において流路側壁にたくさん衝突させることができるので、オゾンの分解効率の向上を図ることができる。
【００２９】
請求項９記載の発明によれば、位置決め部によって、フィルタ素子の積層状態を安定させることができるので、フィルタは、オゾン分解能力を安定して発揮することができる。
請求項１０記載の発明によれば、処理槽から循環路に取り出されたオゾンは、フィルタにおいてジグザグ流路を流路側壁に衝突しながら通り、これによって、自然分解される。つまり、オゾンを、ジグザグ流路において流路側壁に衝突させながら通過させるといった構造的（換言すれば、機械的、力学的、物理的）な方法により分解させることができる。そのため、寿命があって高価な触媒等によってオゾンを分解したり吸着したりするという手段を用いずに済む。また、ジグザグ流路が存在しさえすれば、永続的にオゾンを分解できる。
【００３０】
よって、オゾンによって対象物を処理する場合において、不要なオゾンを永続的かつ低コストで分解させることができる。
請求項１１記載の発明のように、フィルタは、循環路のバイパス流路に設けられていて、バイパス流路を流れる空気に含まれるオゾンを分解してもよい。
請求項１２記載の発明によれば、フィルタは、循環路のバイパス流路だけでなく、処理槽に接続された流出路にも設けられているので、処理槽内のオゾンをより効率的に分解できる。
【００３１】
請求項１３記載の発明のように、電気機器は、処理槽を洗濯槽とする洗濯機であってもよい。
請求項１４記載の発明によれば、フィルタでは、入口と出口との間にジグザグ流路が形成されていて、入口から流入して出口に向かうオゾンをジグザグ流路において自然分解させることができる。ここで、隣り合う複数の第１凹部に対して１つの第２凹部が跨って対向するように、第１凹部および第２凹部をずれて対向させることによって、フィルタのジグザグ流路をシンプルに構成することができる。
【００３２】
請求項１５記載の発明のように、第１凹部および第２凹部のそれぞれは、開口が多角形をした筒状凹部であれば、第１凹部および第２凹部のそれぞれを、多く（高密度で）配列できる。これにより、ジグザグ流路を長くすることができ、その分、オゾンをジグザグ流路において流路側壁にたくさん衝突させることができるので、オゾンの分解効率の向上を図ることができる。
【００３３】
特に、請求項１６記載の発明のように、第１凹部および第２凹部のそれぞれが、六角形の開口を有し、ハニカム状に配列されていれば、第１凹部および第２凹部のそれぞれを、より多く（高密度で）配列できるので、ジグザグ流路を一層長くすることができる。また、ハニカム状に配列された第１凹部および第２凹部では、高い強度を発揮できる。
請求項１７記載の発明によれば、複数のフィルタ素子の積層体によって、フィルタを構成することができる。フィルタでは、積層方向に隣り合う２つのフィルタ素子において、一方のフィルタ素子における第１面（第１凹部）と他方のフィルタ素子における第２面（第２凹部）とによって、ジグザグ流路が形成されている。そして、当該一方のフィルタ素子の開口部が入口として機能することができ、当該他方のフィルタ素子の開口部が出口として機能することができる。このフィルタでは、積層するフィルタ素子の数を変更することによって、ジグザグ流路の長さを変えて、オゾンの分解能力を調整できる。
【００３４】
請求項１８記載の発明によれば、ジグザグ流路は、隣り合うフィルタ素子の開口部間ではフィルタ素子の長手方向に沿い、各開口部では長手方向における向きを反転させるように、フィルタ全体で蛇行しながら延びている。そのため、限られた大きさのフィルタにおいて、ジグザグ流路の全長を極力長く確保し、その分、オゾンをジグザグ流路において流路側壁にたくさん衝突させることができるので、オゾンの分解効率の向上を図ることができる。
【００３５】
請求項１９記載の発明によれば、位置決め部によって、フィルタ素子の積層状態を安定させることができるので、フィルタは、オゾン分解能力を安定して発揮することができる。
請求項２０記載の発明によれば、フィルタでは、入口と出口との間にジグザグ流路が形成されていて、入口から流入して出口に向かうオゾンは、ジグザグ流路を、その流路側壁に衝突しながら通り、これによって、自然分解される。つまり、オゾンを、ジグザグ流路において流路側壁に衝突させながら通過させるといった構造的（換言すれば、機械的、力学的、物理的）な方法により分解させることができる。そのため、寿命があって高価な触媒等によってオゾンを分解したり吸着したりするという手段を用いずに済む。また、ジグザグ流路が存在しさえすれば、永続的にオゾンを分解できる。
【００３６】
よって、オゾンによって対象物を処理する場合において、不要なオゾンを永続的かつ低コストで分解させることができる。
ここで、隣り合う複数の第１凹部に対して１つの第２凹部が跨って対向するように、第１凹部および第２凹部をずれて対向させることによって、フィルタのジグザグ流路をシンプルに構成することができる。  
【００３７】
請求項２１記載の発明のように、第１凹部および第２凹部のそれぞれは、開口が多角形をした筒状凹部であれば、第１凹部および第２凹部のそれぞれを、多く（高密度で）配列できる。これにより、ジグザグ流路を長くすることができ、その分、オゾンをジグザグ流路において流路側壁にたくさん衝突させることができるので、オゾンの分解効率の向上を図ることができる。
【００３８】
特に、請求項２２記載の発明のように、第１凹部および第２凹部のそれぞれが、六角形の開口を有し、ハニカム状に配列されていれば、第１凹部および第２凹部のそれぞれを、より多く（高密度で）配列できるので、ジグザグ流路を一層長くすることができる。また、ハニカム状に配列された第１凹部および第２凹部では、高い強度を発揮できる。
請求項２３記載の発明によれば、複数のフィルタ素子の積層体によって、フィルタを構成することができる。フィルタでは、積層方向に隣り合う２つのフィルタ素子において、一方のフィルタ素子における第１面（第１凹部）と他方のフィルタ素子における第２面（第２凹部）とによって、ジグザグ流路が形成されている。そして、当該一方のフィルタ素子の開口部が入口として機能することができ、当該他方のフィルタ素子の開口部が出口として機能することができる。このフィルタでは、積層するフィルタ素子の数を変更することによって、ジグザグ流路の長さを変えて、オゾンの分解能力を調整できる。
【００３９】
請求項２４記載の発明によれば、ジグザグ流路は、隣り合うフィルタ素子の開口部間ではフィルタ素子の長手方向に沿い、各開口部では長手方向における向きを反転させるように、フィルタ全体で蛇行しながら延びている。そのため、限られた大きさのフィルタにおいて、ジグザグ流路の全長を極力長く確保し、その分、オゾンをジグザグ流路において流路側壁にたくさん衝突させることができるので、オゾンの分解効率の向上を図ることができる。
【００４０】
請求項２５記載の発明によれば、位置決め部によって、フィルタ素子の積層状態を安定させることができるので、フィルタは、オゾン分解能力を安定して発揮することができる。
請求項２６記載の発明によれば、オゾンをより効果的に分解することができる。
【図面の簡単な説明】
【００４１】
【図１】図１は、この発明の一実施形態に係るフィルタ１を構成するフィルタ素子２を、異なる２つの方向から見た斜視図である。
【図２】図２（ａ）は、フィルタ素子２の平面図であり、図２（ｂ）は、フィルタ素子２の底面図である。
【図３】図３は、複数のフィルタ素子２を積層して、フィルタ１を組み立てる様子を示す分解斜視図である。
【図４】図４は、フィルタ１を、フィルタ素子２の長手方向Ｌおよび厚さ方向Ｔの両方に沿う平坦面で切断したときの断面図である。
【図５】図５は、フィルタ素子２の第１面１１と第２面１２とを、重ね合わせて、フィルタ素子２の厚さ方向Ｔから見た図である。
【図６】図６は、フィルタ１を備える電気機器５０の一例である洗濯機５０Ａの模式図である。
【図７】図７（ａ）は、洗濯機５０Ａにおける外槽５７の斜視図であり、図７（ｂ）は、図７（ａ）の要部拡大図である。
【図８】図８は、電気機器５０の変形例に係る洗濯機５０Ｂの模式図である。
【図９】図９は、変形例に係るフィルタ素子８０の斜視図である。
【図１０】図１０は、変形例に係るフィルタ１を、フィルタ素子８０の厚さ方向Ｔに沿う平坦面で切断したときの断面図である。
【図１１】図１１は、フィルタ素子２，８０における各凹部（第１凹部２１，第２凹部３２）の開口２２，３３の形状および配列パターンを示す図である。
【図１２】図１２は、フィルタ素子２，８０における凹部（第１凹部２１，第２凹部３２）を深さ方向に沿う平坦面で切断したときの断面形状を示す図である。
【発明を実施するための形態】
【００４２】
以下には、図面を参照して、この発明の実施形態について具体的に説明する。
図１は、この発明の一実施形態に係るフィルタ１を構成するフィルタ素子２を、異なる２つの方向から見た斜視図である。図２（ａ）は、フィルタ素子２の平面図であり、図２（ｂ）は、フィルタ素子２の底面図である。
図１を参照して、このフィルタ１は、オゾンを自然分解させる（厳密には、オゾンの自然分解を促進させる）ものである。フィルタ１は、複数のフィルタ素子２の（つまり、複数のフィルタ素子２で構成された）積層体を含んでいる（後述する図３および図４参照）。図１（ａ）および（ｂ）のそれぞれでは、１つのフィルタ素子２が図示されている。フィルタ素子２は、オゾンに耐性を有する安価な材料（ＡＢＳ樹脂やステンレス等）で形成されている。フィルタ素子２は、所定方向に長手の直方体形状である。図１（ａ）および（ｂ）のそれぞれでは、フィルタ素子２は、左下から右上に向かう方向に沿って長手であり、以下では、当該方向を、（フィルタ素子２の）長手方向Ｌと言うことにする。図１において、左上から右下に向かう方向を、（フィルタ素子２の）短手方向Ｓと言うことにする。長手方向Ｌおよび短手方向Ｓの両方に直交する方向（図１の上下方向）を、（フィルタ素子２の）厚さ方向Ｔと言うことにする。フィルタ素子２の寸法の一例として、長手方向Ｌにおける寸法は、３０ｍｍ程度であり、短手方向Ｓにおける寸法は、１８ｍｍ程度であり、厚さ方向Ｔにおける寸法は、７ｍｍ程度である。
【００４３】
なお、以下では、フィルタ１全体の姿勢（後述する図３および図４参照）を特定する際にも、これらの長手方向Ｌ、短手方向Ｓおよび厚さ方向Ｔを用いることにする。また、厚さ方向Ｔからフィルタ１およびフィルタ素子２を見ることを、「平面視」や「底面視」と呼ぶことがある。
図１（ａ）を参照して、個々のフィルタ素子２は、第１面１１と、第２面１２と、第３面１３と、第４面１４と、第５面１５と、第６面１６とを有している。図１（ａ）におけるフィルタ素子２の姿勢を基準として、第１面１１は上面であり、第２面１２は下面であり、第３面１３は左手前側の面であり、第４面１４は右奥側の面であり、第５面１５は左奥側の面であり、第６面１６は右手前側の面である。第１面１１〜第６面１６のうち、隣り合うもの同士は、互いに直交している。そして、第１面１１と第２面１２とは、厚さ方向Ｔにおいて反対側にあって平行に延びており、第３面１３と第４面１４とは、長手方向Ｌにおいて反対側にあって平行に延びており、第５面１５と第６面１６とは、短手方向Ｓにおいて反対側にあって平行に延びている。
【００４４】
なお、図１（ａ）のフィルタ素子２が、通常姿勢にある。通常姿勢のフィルタ素子２を第１面１１側からフィルタ素子２を見ることが、前述した「平面視」であり、通常姿勢のフィルタ素子２を第２面１２側から見ることが、前述した「底面視」である。通常姿勢にあるフィルタ素子２の長手方向Ｌおよび厚さ方向Ｔのそれぞれの向きを逆にすると、フィルタ素子２は、図１（ｂ）に示す姿勢となる。
【００４５】
フィルタ素子２の長手方向Ｌにおける一端部には、開口部１７が形成されている。図１（ａ）では、開口部１７は、フィルタ素子２の左手前側の端部に位置していて、図１（ｂ）では、開口部１７は、フィルタ素子２の右奥側の端部に位置している。開口部１７は、第１面１１側と第２面１２側とを連通するように、フィルタ素子２を厚さ方向Ｔに貫通している。開口部１７は、第１面１１および第２面１２の輪郭（外周縁）に届いておらず、これらの輪郭の内側に位置している。開口部１７は、短手方向Ｓにおいて長手である。
【００４６】
図１（ａ）を参照して、第１面１１には、第１凹部２１が複数形成されている。各第１凹部２１は、第２面１２側に向けて、フィルタ素子２における厚さ方向Ｔの途中まで窪んでいて、フィルタ素子２を厚さ方向Ｔに貫通していない。複数の第１凹部２１は、第１面１１における開口部１７以外の領域（図１（ａ）では、開口部１７よりも右奥側の領域）において、所定の配列パターンで規則的に配列されている。当該所定の配列パターンとして、行列状の配列パターンや、千鳥状の配列パターンが挙げられる。
【００４７】
個々の第１凹部２１は、開口２２が多角形をした筒状凹部になっている。つまり、第１凹部２１において第１面１１に露出された部分（開口２２）は、平面視で、多角形になっている。また、第１凹部２１の底面２３（図２（ａ）においてドットで塗り潰した部分）も多角形であり、第１面１１と平行である。底面２３の輪郭は、平面視において、開口２２の輪郭と一致している。そして、個々の第１凹部２１には、開口２２の多角形を構成する辺と同数の側面２４が設けられている。各側面２４は、第１凹部２１の深さ方向（厚さ方向Ｔと同じ）に沿って延びている。各側面２４は、開口２２の多角形の輪郭と、底面２３の多角形の輪郭とにおいて、平面視で同じ位置にある辺同士をつないでいる。そのため、平面視における第１凹部２１の大きさおよび形状は、第１凹部２１の深さ方向における全域に亘って一定である。
【００４８】
この実施形態では、ほとんどの第１凹部２１が、六角形の開口２２を有しており、平面視において六角形である。そのため、第１凹部２１は、ハニカム状に配列されている。六角形の第１凹部２１（ここでは、「第１凹部２１Ａ」と区別することにする）において隣り合うもの同士では、最寄りの１辺同士が平行に延びている。また、複数（ここでは、３つ）の第１凹部２１Ａは、短手方向Ｓに沿って直線的に並んでいる。これらの第１凹部２１Ａのそれぞれでは、六角形における平行な２辺が、長手方向Ｌに沿っている。
【００４９】
なお、フィルタ素子２の短手方向Ｓにおける寸法によっては、六角形の第１凹部２１Ａを短手方向Ｓに並べるだけでは、第１凹部２１が短手方向Ｓにおいてフィルタ素子２内に収まりきらない場合がある。その場合、短手方向Ｓに並ぶ複数の第１凹部２１Ａに対して、短手方向Ｓにおけるどちらかから、別の第１凹部２１（ここでは、「第１凹部２１Ｂ」と区別することにする）が１つ連なっている。第１凹部２１Ｂは、平面視で、第１凹部２１Ａのちょうど半分の大きさをなす等脚台形状である。当該等脚台形状における上底が、最寄りの第１凹部２１Ａの１辺と平行になって、長手方向Ｌに延びている。
【００５０】
そして、短手方向Ｓに並ぶ複数の第１凹部２１（この実施形態では、３つの第１凹部２１Ａと１つの第１凹部２１Ｂ）によって構成された列が、第１面１１において、複数（ここでは、６列）設けられている。これらの列は、平行に延び、長手方向Ｌに並んで配置されている。また、隣り合う列では、第１凹部２１Ｂが、短手方向Ｓにおいて反対側に位置している。前述した開口部１７は、当該列と、短手方向Ｓにおいてほぼ同じ寸法を有している。また、開口部１７において当該列に隣接する部分は、第１凹部２１の多角形状の輪郭に応じて、ぎざぎざに縁取られている。
【００５１】
第１面１１において、長手方向Ｌにおける開口部１７とは反対側の端部には、短手方向Ｓに長い第１凹部２１（ここでは、「第１凹部２１Ｃ」と区別することにする）が形成されている。第１凹部２１Ｃは、第１凹部２１ＡおよびＢの列と、短手方向Ｓにおいてほぼ同じ寸法を有している。また、第１凹部２１Ｃにおいて当該列に隣接する部分は、当該列における第１凹部２１の多角形状の輪郭に応じて、ぎざぎざに縁取られている。
【００５２】
また、第１面１１と第３面１３との境界における短手方向Ｓの中央には、当該境界をＬ字状に切り欠く第１切欠２５（位置決め部）が１つ形成されている。第１面１１と第４面１４と第５面１５との境界をなす角部分には、当該境界（角部分）をＬ字状に切り欠く第２切欠２６（位置決め部）が１つ形成されている。第２切欠２６は、第１面１１と第４面１４と第６面１６との境界なす角部分にも１つ形成されていて、当該境界をＬ字状に切り欠いている。つまり、第２切欠２６は、第１面１１と第４面１４との境界における短手方向Ｓの両端に、１つずつ形成されている。
【００５３】
図１（ｂ）を参照して、第２面１２には、第２凹部３２が複数形成されている。各第２凹部３２は、第１面１１側に向けて（つまり、第１凹部２１が窪む方向とは逆の方向へ向けて）、フィルタ素子２における厚さ方向Ｔの途中まで窪んでいて、フィルタ素子２を厚さ方向Ｔに貫通していない。なお、第１凹部２１と第２凹部３２とは、別々に区画されていて、つながっていない。複数の第２凹部３２は、第２面１２における開口部１７以外の領域（図１（ｂ）では、開口部１７よりも左手前側の領域）において、第１凹部２１の場合と同様の所定の配列パターンで規則的に配列されている。
【００５４】
個々の第２凹部３２は、開口３３が多角形をした筒状凹部になっている。つまり、第１凹部２１において第２面１２に露出された部分（開口３３）は、平面視で、多角形になっている。また、第２凹部３２の底面３４（図２（ｂ）においてドットで塗り潰した部分）も多角形であり、第２面１２と平行である。底面３４の輪郭は、平面視において、開口３３の輪郭と一致している。そして、個々の第２凹部３２には、開口３３の多角形を構成する辺と同数の側面３５が設けられている。各側面３５は、第２凹部３２の深さ方向（厚さ方向Ｔと同じ）に沿って延びている。各側面３５は、開口３３の多角形の輪郭と、底面３４の多角形の輪郭とにおいて、平面視で同じ位置にある辺同士をつないでいる。そのため、平面視における第２凹部３２の大きさおよび形状は、第１凹部２１の深さ方向における全域に亘って一定である。
【００５５】
この実施形態では、ほとんどの第２凹部３２が、六角形の開口３３を有しており、平面視において六角形であって、ハニカム状に配列されている。六角形の第２凹部３２（ここでは、「第２凹部３２Ａ」と区別することにする）において隣り合うもの同士では、最寄りの１辺同士が平行に延びている。また、複数（ここでは、３つ）の第２凹部３２Ａは、短手方向Ｓに沿って直線的に並んでいる。これらの第２凹部３２Ａのそれぞれでは、六角形における平行な２辺が、長手方向Ｌに沿っている。第２凹部３２Ａと、第１凹部２１Ａとは、寸法および形状が同じである。
【００５６】
なお、フィルタ素子２の短手方向Ｓにおける寸法によっては、六角形の第２凹部３２Ａを短手方向Ｓに並べるだけでは、第２凹部３２が短手方向Ｓにおいてフィルタ素子２内に収まりきらない場合がある。その場合、短手方向Ｓに並ぶ複数の第２凹部３２Ａに対して、短手方向Ｓにおけるどちらかから、別の第２凹部３２（ここでは、「第２凹部３２Ｂ」と区別することにする）が１つ連なっている。第２凹部３２Ｂは、平面視で、第２凹部３２Ａのちょうど半分の大きさをなす等脚台形状である。当該等脚台形状における上底が、最寄りの第２凹部３２Ａの１辺と平行になって、長手方向Ｌに延びている。第２凹部３２Ｂと、第１凹部２１Ｂとは、寸法および形状が同じである。
【００５７】
そして、短手方向Ｓに並ぶ複数の第２凹部３２（この実施形態では、３つの第２凹部３２Ａと１つの第２凹部３２Ｂ）によって構成された列が、第２面１２において、複数（ここでは、５列）設けられている。第２凹部３２の列の数は、第１面１１における第１凹部２１の列の数（ここでは、６列）よりも１つ少ない。複数の（第２凹部３２の）列は、平行に延び、長手方向Ｌに並んで配置されている。また、隣り合う列では、第２凹部３２Ｂが、短手方向Ｓにおいて反対側に位置している。前述した開口部１７は、当該列と、短手方向Ｓにおいてほぼ同じ寸法を有している。また、開口部１７において当該列に隣接する部分は、第２凹部３２の多角形状の輪郭に応じて、ぎざぎざに縁取られている。
【００５８】
第２面１２において、長手方向Ｌにおける開口部１７とは反対側の端部には、短手方向Ｓに長い第２凹部３２（ここでは、「第２凹部３２Ｃ」と区別することにする）が形成されている。第２凹部３２Ｃは、第２凹部３２ＡおよびＢの列と、短手方向Ｓにおいてほぼ同じ寸法を有している。また、第２凹部３２Ｃにおいて当該列に隣接する部分は、当該列における第２凹部３２の多角形状の輪郭に応じて、ぎざぎざに縁取られている。
【００５９】
また、第２面１２と第４面１４との境界における短手方向Ｓの中央には、厚さ方向Ｔに沿ってフィルタ素子２から離れる方向（図１（ｂ）では上側）へ突出する第１爪３６（位置決め部）が１つ設けられている。第２面１２と第３面１３との境界における短手方向Ｓの両端には、第１爪３６と同じ方向に突出する第２爪３７（位置決め部）が１つずつ設けられている。第１爪３６および第２爪３７は、長手方向Ｌに薄い板状であり、長手方向Ｌから見て、短手方向Ｓに長い長方形をなしている。第１爪３６は、第１切欠２５にちょうど嵌まり込むことができ、第２爪３７は、対応する（短手方向Ｓで同じ位置にある）第２切欠２６にちょうど嵌まり込むことができる（図１（ａ）も参照）。なお、図１（ａ）および図１（ｂ）より、長手方向Ｌにおける一方側の第３面１３に第１切欠２５および第２爪３７が設けられ、長手方向Ｌにおける他方側の第４面１４に第２切欠２６および第１爪３６が設けられていることが分かる。
【００６０】
前述したように、第２面１２における第２凹部３２の（短手方向Ｓに延びる）列の数は、第１面１１における第１凹部２１の（短手方向Ｓに延びる）列の数よりも１つ少ない。そして、図２（ａ）と図２（ｂ）とを見比べたら分かるように、第２凹部３２の全ての列のまとまりは、第１凹部２１の全ての列のまとまりよりも、フィルタ素子２の長手方向Ｌにおける中心側に寄っている。これにより、第２面１２側の第２凹部３２Ｃ（図２（ｂ）参照）は、第１面１１側の第１凹部２１Ｃ（図２（ａ）参照）よりも長手方向Ｌにおいて大きい。また、開口部１７に隣接する第１凹部２１の底部２７が、第２面１２側において露出されている（図２（ｂ）においてハッチングを付した部分を参照）。
【００６１】
また、図２を参照して、第１凹部２１の（短手方向Ｓに延びる）各列において、短手方向Ｓに並ぶ第１凹部２１Ａの中心（六角形の重心位置）を通る基準線を基準線Ｋ１とする（図２（ａ）参照）。第２凹部３２の（短手方向Ｓに延びる）各列において、短手方向Ｓに並ぶ第２凹部３２Ａの中心（六角形の重心位置）を通る基準線を基準線Ｋ２とする（図２（ｂ）参照）。基準線Ｋ１は、第１凹部２１の列と同数（６本）存在し、基準線Ｋ２は、第２凹部３２の列と同数（５本）存在する。長手方向Ｌにおいて、基準線Ｋ１と基準線Ｋ２とは、同じ位置になく、ずれて配置されている。具体的には、基準線Ｋ２は、長手方向Ｌにおいて、隣り合う２本の基準線Ｋ１の間であって、当該２本の基準線Ｋ１を最短距離で結ぶ線分Ｍの中点Ｎと同じ位置にある。このような位置関係は、フィルタ素子２の長手方向Ｌにおける向きが逆になっても同様である。
【００６２】
次に、このようなフィルタ素子２を積層してフィルタ１を組み立てる手順について、図３および図４を参照しながら説明する。
まず、図３に示すように、フィルタ素子２を、複数（少なくとも２個以上であり、ここでは、一例として６個）準備する。準備するフィルタ素子２の数は、フィルタ１に対して求められるオゾン分解性能や寸法に応じて異なる。後述するように、フィルタ素子２の数が多いほど、フィルタ１のオゾン分解性能は高くなるが、フィルタ１の全体寸法が大きくなる。
【００６３】
そして、準備した全てのフィルタ素子２において、第１面１１が上を向き、第２面１２が下を向くようにする。そして、１つのフィルタ素子２に対して、上下のどちらかから、別のフィルタ素子２を１つ積層する。ここでは、図３において太線矢印で示すように、１つのフィルタ素子２に対して、上から別のフィルタ素子２を１つずつ積層することにする。つまり、当該１つのフィルタ素子２の第１面１１に対して、別のフィルタ素子２の第２面１２を上から対向させる。
【００６４】
このとき、下のフィルタ素子２の第１切欠２５に対して、上のフィルタ素子２の第１爪３６を上から嵌め込み、下のフィルタ素子２の第２切欠２６に対して、上のフィルタ素子２の対応する（短手方向Ｓで同じ位置にある）第２爪３７を上から嵌め込む。これにより、隣り合って積層されたフィルタ素子２同士が位置決めされる。その結果、フィルタ素子２の積層状態を安定させることができるので、完成したフィルタ１は、オゾン分解能力を安定して発揮することができる。
【００６５】
ここで、前述したように、長手方向Ｌにおける一方側（第３面１３側）に第１切欠２５および第２爪３７が設けられ、長手方向Ｌにおける他方側（第４面１４側）に第２切欠２６および第１爪３６が設けられている（図１も参照）。そのため、第１切欠２５に第１爪３６を嵌め込んで第２切欠２６に（対応する）第２爪３７を嵌め込むためには、上のフィルタ素子２を、長手方向Ｌにおける向きを（下のフィルタ素子２の向きとは）逆にしてから、下のフィルタ素子２に積層する必要がある。よって、フィルタ素子２は、長手方向Ｌにおける向きが交互に逆になるように積層される。
【００６６】
準備した全て（ここでは、６個）のフィルタ素子２が１つずつ積層されると、図４に示すように、フィルタ１が完成する。完成したフィルタ１では、積層方向（厚さ方向Ｔと同じ）に隣り合う２つのフィルタ素子２において一方（下側）のフィルタ素子２における第１面１１と他方（上側）のフィルタ素子２における第２面１２とが対向している。つまり、当該一方のフィルタ素子２における第１面１１と当該他方のフィルタ素子２における第２面１２とが対向するように、複数のフィルタ素子２が積層されることによって、フィルタ１が構成されている。
【００６７】
また、隣り合って積層されたフィルタ素子２では、前述したように、長手方向Ｌにおける向きが交互に逆になっていて、互いの開口部１７が長手方向Ｌにおける反対側に位置している。図４の場合だと、最上位のフィルタ素子２から下方のフィルタ素子２に向かって、開口部１７が、左端、右端、左端、右端…というように、交互に反対側に位置している。
【００６８】
また、前述したように、六角形の開口２２を有する第１凹部２１がハニカム状に配列され、六角形の開口３３を有する第２凹部３２がハニカム状に配列され、基準線Ｋ１と基準線Ｋ２とが長手方向Ｌにおいてずれて配置されている（図２参照）。そのため、隣り合って積層されたフィルタ素子２では、一方（下側）のフィルタ素子２の第１面１１において隣り合う複数の第１凹部２１に対して、他方（上側）のフィルタ素子２の第２面１２における１つの第２凹部３２が跨って対向するように、第１凹部２１および第２凹部３２がずれて対向されている。逆に、当該他方のフィルタ素子２の第２面１２において隣り合う複数の第２凹部３２に対して、一方のフィルタ素子２の第１面１１における１つの第１凹部２１が跨って対向するように、第１凹部２１および第２凹部３２がずれて対向されている。ここで、第１凹部２１および第２凹部３２は、図４に示すように長手方向Ｌにずれているだけでなく、図５に示すように、短手方向Ｓにもずれており、長手方向Ｌおよび短手方向Ｓの両方に傾斜する方向にもずれている。要は、平面視において、第１凹部２１および第２凹部３２同士が完全に一致しておらず、第１凹部２１および第２凹部３２において、一方が複数の他方と対向し、かつ、他方が複数の一方に対向していればよい。
【００６９】
このように第１凹部２１および第２凹部３２がずれて対向されていることによって、図４に示すように、フィルタ１において隣り合って積層されたフィルタ素子２の第１面１１と第２面１２との間には、一定長さ以上のジグザグ流路４０（図４の太い破線部分参照）が構成されている。ジグザグ流路４０は、交互に連続する（第１面１１の）第１凹部２１および（第２面１２の）第２凹部３２によって構成されているため、厚さ方向Ｔにジグザグしながら、長手方向Ｌに延びている。また、図５に示す平面視では、ジグザグ流路４０は、太い破線矢印で示すように、第１凹部２１および第２凹部３２のそれぞれにおいて短手方向Ｓに広がりながら（分岐しながら）、全体として長手方向Ｌに延びている。
【００７０】
ここで、隣り合う複数の第１凹部２１に対して１つの第２凹部３２が跨って対向するように、第１凹部２１および第２凹部３２をずれて対向させることによって、フィルタ１のジグザグ流路４０をシンプルに構成することができる。
そして、図４を参照して、ジグザグ流路４０は、第１面１１側の開口部１７と、第２面１２側の開口部１７とを中継するように、これらの開口部１７の両方に連通している。
【００７１】
また、図４の状態を基準として、ジグザグ流路４０は、最上位と（最上位から）２番目のフィルタ素子２の間、最上位から２番目と３番目のフィルタ素子２の間…というように、フィルタ１において積層方向に隣り合う全てのフィルタ素子２の間（第１面１１と第２面１２との間）に形成されている。そのため、この実施形態のように６個のフィルタ素子２の積層体で構成されたフィルタ１では、長手方向Ｌに延びるジグザグ流路４０が、積層方向において等間隔で５つ並んでおり、積層方向に隣接するジグザグ流路４０同士は、開口部１７を介して連通し、一体化されている。
【００７２】
図４において、フィルタ１では、最上位（積層方向における一端）のフィルタ素子２の開口部１７が入口４１であり、最下位（積層方向における他端）のフィルタ素子２の開口部１７が出口４２であり、それ以外のフィルタ素子２の開口部１７はジグザグ流路４０の一部となっている。
この場合、ジグザグ流路４０全体は、図４において太い破線矢印で示すように、入口４１から下方へ延びた後に右側へジグザグに進み、右端で折れ曲がって下方へ延びてから左側へジグザグに進み、左端で折れ曲がって下方へ延びている。次いで、ジグザグ流路４０は、最上位から３番目と４番目のフィルタ素子２の間において右側へジグザグに進み、右端で折れ曲がって下方へ延びてから左側へジグザグに進み、左端で折れ曲がって下方へ延びている。次いで、ジグザグ流路４０は、最上位から５番目と６番目（最下位）のフィルタ素子２の間において右側へジグザグに進み、右端で折れ曲がって下方へ延びて出口４２につながっている。つまり、ジグザグ流路４０全体は、隣り合うフィルタ素子２の開口部１７間ではフィルタ素子２の長手方向Ｌに沿い、各開口部１７では長手方向Ｌにおける向きを反転させるように、フィルタ１全体で長手方向Ｌに蛇行しながら積層方向に延びている。そのため、限られた大きさのフィルタ１において、ジグザグ流路４０の全長を極力長く確保できる。
【００７３】
このように、フィルタ１では、入口４１と出口４２との間にジグザグ流路４０が形成されていて、ジグザグ流路４０全体は、入口４１と出口４２とをつないでいる。また、ジグザグ流路４０を構成する複数の第１凹部２１および第２凹部３２のそれぞれは、入口４１と出口４２との間において、前述した所定の配列パターン（図１および図２参照）で配列されていることが分かる。
【００７４】
なお、このフィルタ１では、積層方向に隣り合うフィルタ素子２において、一方のフィルタ素子２の第１面１１の外周部分４４（矩形の枠部分であり、図１（ａ）参照）と、他方のフィルタ素子２の第２面１２の外周部分４５（矩形の枠部分であり、図１（ｂ）参照）第２面１２との間）とは、ほとんど隙間が形成されないように接触している。そのため、ジグザグ流路４０の密閉性は、ある程度保たれている。
【００７５】
このフィルタ１では、入口４１に気体を流入させ、この気体（流入した気体）を、ジグザグ流路４０経由で出口４２から流出させることができる。そして、この気体にオゾンが含まれている場合、オゾンは、ジグザグ流路４０を通ることによって短手方向Ｓに分岐しながら長手方向Ｌにジグザグに（乱流状態で）流れる際に（図４および図５の太い破線矢印参照）、ジグザグ流路４０の流路側壁４０Ａに衝突する。流路側壁４０Ａは、ジグザグ流路４０を区画する凸凹の側壁である。第１凹部２１の底面２３および側面２４や、第２凹部３２の底面３４および側面３５や、第１面１１において第１凹部２１の開口２２を縁取る格子部分４６や、第２面１２において第２凹部３２の開口３３を縁取る格子部分４７が、流路側壁４０Ａを構成している（図１および図２参照）。オゾンは、流路側壁４０Ａに衝突するときにエネルギーを消費して減衰し、酸素になって、自然分解（自己分解）する。その結果、出口４２から流出した空気におけるオゾン濃度は、規定濃度以下となっており、この空気には、オゾンがほとんど含まれていない。
【００７６】
このように、フィルタ１は、ジグザグ流路４０をオゾンが通る際に流路側壁４０Ａにオゾンを衝突させながら通すことによって、オゾンの自然分解を促進させる。つまり、オゾンを、ジグザグ流路４０において流路側壁４０Ａに衝突させながら通過させるといった構造的（換言すれば、機械的、力学的、物理的）な方法により分解させることができる。そのため、寿命があって高価な触媒等によってオゾンを（化学的に）分解したり吸着したりするという手段を用いずに済む。また、ジグザグ流路４０が存在しさえすれば、永続的にオゾンを分解できる。よって、オゾンを永続的かつ低コストで分解させることができる。
【００７７】
前述したように、第１凹部２１および第２凹部３２のそれぞれは、開口２２，３３が多角形をした筒状凹部であるから、第１凹部２１および第２凹部３２のそれぞれを、多く（高密度で）配列できる（図２参照）。これにより、ジグザグ流路４０を長くすることができ、その分、オゾンをジグザグ流路４０において流路側壁４０Ａにたくさん衝突させることができるので、オゾンの分解効率の向上を図ることができる。
【００７８】
また、前述したように、隣り合うフィルタ素子２の長手方向Ｌの向きを逆にすることで、ジグザグ流路４０の全長（図４の太い破線の全長）を極力長く確保していることから、その分、オゾンをジグザグ流路４０において流路側壁４０Ａにたくさん衝突させることができるので、オゾンの分解効率の向上を図ることができる。
また、このフィルタ１では、積層するフィルタ素子２の数を変更することによって、ジグザグ流路４０の長さを変えて、オゾンの分解能力を調整できる。
【００７９】
次に、このようなフィルタ１が組み込まれる電気機器５０について説明する。
電気機器５０は、オゾンを溜めることができる処理槽５１を有し、処理槽５１内の収容物をオゾンによって処理（詳しくは、除菌や消臭や洗浄の処理）することができる。
電気機器５０の一例として、図６では、洗濯機５０Ａが図示されている。この場合、処理槽５１は、洗濯物を収容するための洗濯槽５１Ａである。
【００８０】
洗濯機５０Ａは、当該洗濯槽５１Ａおよびフィルタ１の他に、筐体５２と、オゾン発生装置５３と、オゾン導入路５４と、流出路５５とを主に含んでいる。筐体５２は、洗濯機５０Ａの外郭をなすボックス状である。筐体５２内に、洗濯槽５１Ａ、フィルタ１、オゾン発生装置５３、オゾン導入路５４および流出路５５が収容されている。
洗濯槽５１Ａは、洗濯物を収容して回転する内槽（脱水槽）５６と、内槽５６を収容する外槽５７とを含んでいる。内槽５６は、円筒体である。この実施形態の洗濯機５０Ａは、いわゆる縦型タイプである。そのため、内槽５６は、その中心軸（１点鎖線参照）が縦（上下）に延びた状態で配置されており、当該中心軸を中心に回転駆動される。内槽５６では、上端部が開口されていて、下端部が、閉塞された底となっている。外槽５７は、内槽５６より一回り大きい中空体（ここでは、円筒体）である。外槽５７は、筐体５２に連結されることによって、位置が固定されている。外槽５７において、内槽５６の上端部に上から対向する部分には、開閉可能な蓋５８が設けられている（図７（ａ）も参照）。蓋５８を開くことによって、内槽５６の上端部の開口を開放し、内槽５６に対して洗濯物を出し入れすることができる。蓋５８を閉じることによって、外槽５７の内部空間を密閉することができる。また、内槽５６の周壁には、多数の貫通孔が形成されており、内槽５６の内部空間と、外槽５７の内部空間（内槽５６の外側の空間）とは、当該貫通孔を介して連通している。
【００８１】
オゾン発生装置５３は、たとえば洗濯機５０Ａの外から取り込んだ空気に対してコロナ放電を加えることによって、オゾンを発生する装置である。
オゾン導入路５４は、オゾン発生装置５３と洗濯槽５１Ａ（ここでは、内槽５６）とを中継する流路である。オゾン発生装置５３で発生したオゾンは、オゾン導入路５４を通って内槽５６内に供給される。オゾンは、オゾン発生装置５３で発生したままの状態で、負圧等によってオゾン導入路５４から洗濯槽５１Ａ内に引き込まれてもよい。または、水栓（図示せず）から洗濯槽５１Ａにつながる給水路にオゾン導入路５４を接続し、給水路とオゾン導入路５４との接続部分をベンチュリ構造にしておいてもよい。この場合、オゾン発生装置５３で発生したオゾンは、給水路から洗濯槽５１Ａに向かう水に混ざり、この水が、オゾンを含むオゾン水として、洗濯槽５１Ａ内に供給される。このように、オゾン発生装置５３で発生したままの状態、または、水に混ざった状態で洗濯槽５１Ａ内に供給されたオゾンは、内槽５６内の洗濯物を除菌および脱臭したり、汚れ（衣類の襟や袖の汚れ等）を除去したりする。
【００８２】
流出路５５は、外槽５７から延び出た管である。そのため、流出路５５は、外槽５７に接続された一端５５Ａと、一端５５Ａとは反対側の他端５５Ｂとを含んでいる。一端５５Ａ（厳密には、一端５５Ａにおける流出路５５の内部）は、図６に示すように、外槽５７内における上部に臨んでいる。また、図７（ａ）に示すように、流出路５５では、少なくとも一部（一端５５Ａ側の部分）は、外槽５７の外壁５７Ａに沿って配置されている。具体的には、図７（ｂ）に示すように、流出路５５は、円筒状の外壁５７Ａの外周面において、外槽５７の軸方向（上下方向）に沿って配置されている。これにより、縦型の洗濯機５０Ａ内における外槽５７周りのスペースを有効利用して流出路５５を配置できる。そして、流出路５５における複数箇所は、ねじ５９によって外壁５７Ａの外周面に組み付けられている。これによって、流出路５５は、外壁５７Ａに固定されている。なお、図７では、流出路５５の全部が外槽５７の軸方向に沿って配置されているが、他端５５Ｂ側の部分が外壁５７Ａから外側へ折れ曲がっていても構わない。また、他端５５Ｂにおける流出路５５の内部は、筐体５２内における外槽５７よりも外の空間に連通していてもよいし、筐体５２の外（洗濯機５０Ａの機外）に連通していてもよい。
【００８３】
このような流出路５５は、内槽５６および外槽５７内のオゾンを一端５５Ａから流出路５５内に流出させることができる。前述したように外槽５７の内部空間は密閉されているのだが、オゾン（オゾン水の場合には、気相分離により生じたオゾンガス）は、外槽５７において密閉の弱い箇所を探して、その箇所から漏れ出そうとする。特に、オゾン発生装置５３からオゾンが補充されると、余分なオゾンが、当該箇所から漏れ出そうとする。そこで、流出路５５を設けることによって、オゾンを意図的に流出路５５に逃がすようにして、外槽５７において密閉の弱い箇所からオゾンが機外に漏れないようにしている。
【００８４】
フィルタ１は、図６においてハッチングを付して示すように、流出路５５に組み込まれている。流出路５５内のフィルタ１では、入口４１（図４参照）が一端５５Ａ側に接続され、出口４２（図４参照）が他端５５Ｂ側に接続されている。そのため、内槽５６および外槽５７内から流出路５５の一端５５Ａに流出した空気は、一端５５Ａを通過した後に、入口４１からフィルタ１内に流入し、前述したジグザグ流路４０（図４参照）を通過してから、出口４２および他端５５Ｂを経由して、流出路５５の外に流出する。この空気の中にオゾンが含まれていた場合には、処理槽５１から流出路５５に流出したオゾンは、フィルタ１においてジグザグ流路４０を流路側壁４０Ａに衝突しながら通り、これによって、自然分解される。この洗濯機５０Ａでは、オゾンによって対象物を処理する場合において、触媒等を用いずに構造的にオゾンを分解するフィルタ１を用いることにより、不要なオゾンを永続的かつ低コストで分解させることができる。
【００８５】
また、電気機器５０の別の例として、図８に示す洗濯機５０Ｂも挙げることができる。
なお、図８において、図６および図７と重複する部分については、同じ符号を付してその説明を省略する。図８に示す洗濯機５０Ｂは、図６の洗濯機５０Ａに、循環路６５と、循環路６５に組み込まれるフィルタ１とを追加したものである。循環路６５は、内槽５６（外槽５７でも構わない）に対して接続される一端６５Ａおよび他端６５Ｂを有している。循環路６５には、モータ（図示せず）によって駆動されるファン６６と、ヒータ６９とが設けられている。ファン６６が駆動されると、循環路６５には、一端６５Ａから他端６５Ｂへ向かう空気の流れが発生する。これにより、循環路６５は、洗濯槽５１Ａ（内槽５６および外槽５７）内の空気を一端６５Ａから取り出して他端６５Ｂから洗濯槽５１Ａ内に戻すことができる。たとえば、ヒータ６９により加熱された空気が、温風となって洗濯槽５１Ａ内に供給されて、洗濯物を乾燥させてもよい。この場合、洗濯物の乾燥を行った後において、洗濯槽５１Ａ内の空気を、洗濯槽５１Ａと循環路６５との間で循環させることによって冷却することができる。
【００８６】
循環路６５は、その途中にバイパス接続されたバイパス流路６７を含んでいる。循環路６５における一端６５Ａ側におけるバイパス流路６７との接続部には、ソレノイド（図示せず）などによって駆動されるバルブ６８（切換手段）が設けられている。バルブ６８は、当該接続部におけるバイパス流路６７を塞ぐ第１姿勢（実線で示したバルブ６８）と、当該接続部における循環路６５（当該接続部より少し下流側の部分）を塞ぐ第２姿勢（点線で示したバルブ６８）とに、姿勢（位置）を変えることができる。バルブ６８が第１姿勢にある場合、一端６５Ａから循環路６５に流入した空気は、バイパス流路６７に分岐することなく、そのまま循環路６５を流れて、他端６５Ｂから洗濯槽５１Ａ内に戻る。バルブ６８が第２姿勢にある場合、一端６５Ａから循環路６５に流入した空気は、バイパス流路６７に一旦分岐した後に、バイパス流路６７を通過してから循環路６５に合流し、他端６５Ｂから洗濯槽５１Ａ内に戻る。このように、バルブ６８（バルブ６８を駆動させるソレノイドも含む）は、洗濯槽５１Ａから循環路６５に取り込まれた空気をバイパス流路６７に流すか否かを切り換えることができる。
【００８７】
そして、フィルタ１は、バイパス流路６７に設けられている。バイパス流路６７内のフィルタ１では、入口４１（図４参照）がバイパス流路６７の一端６５Ａ側に接続され、出口４２（図４参照）がバイパス流路６７の他端６５Ｂ側に接続されている。そのため、バルブ６８が第２姿勢にある場合においてファン６６が駆動されると、洗濯槽５１Ａ内から循環路６５の一端６５Ａ経由でバイパス流路６７に取り込まれた空気は、入口４１からフィルタ１内に流入する。この空気は、前述したジグザグ流路４０（図４参照）を通過してから、バイパス流路６７および循環路６５の他端６５Ｂを経由して、洗濯槽５１Ａ内に戻る。この空気の中にオゾンが含まれていた場合には、処理槽５１から循環路６５に取り出されたオゾンは、バイパス流路６７のフィルタ１においてジグザグ流路４０を流路側壁４０Ａに衝突しながら通り、これによって、自然分解される。よって、洗濯機５０Ｂでは、オゾンによって対象物を処理する場合において、触媒等を用いずに構造的にオゾンを分解するフィルタ１を用いることにより、不要なオゾンを永続的かつ低コストで分解させることができる。
【００８８】
また、この洗濯機５０Ｂでは、ファン６６が駆動されることによって、洗濯槽５１Ａ内の空気が、洗濯槽５１Ａと循環路６５との間で強制的に循環される。そのため、空気に含まれるオゾンを循環路６５のフィルタ１で効率的に分解し、結果として、洗濯槽５１Ａ内のオゾンを素早く分解できる。
さらに、この洗濯機５０Ｂには、フィルタ１が、循環路６５のバイパス流路６７だけでなく、流出路５５にも設けられているので、洗濯槽５１Ａ内のオゾンをより効率的に分解できる。
【００８９】
なお、図８の洗濯機５０Ｂでは、フィルタ１は、バイパス流路６７に設けられているが、循環路６５（バイパス流路６７以外の部分）に設けられてもよい。また、流出路５５および（流出路５５に設けられた）フィルタ１を省略してもよい。
この発明は、以上の実施形態の内容に限定されるものではなく、請求項記載の範囲内において種々の変更が可能である。
【００９０】
たとえば、図９に示すフィルタ素子８０を用いてフィルタ１を構成してもよい。フィルタ素子８０には、フィルタ素子８０Ａおよび８０Ｂという、構成が異なる２つの種類がある。
フィルタ素子８０Ａは、円板形状である。フィルタ素子８０Ａにおいて軸方向（フィルタ素子８０Ａの厚さ方向Ｔと同じ）における両側には、円形状の面が１対形成されている。当該１対の面のうち、図９における上側の面を第１円形面８１といい、図９における下側の面を第２円形面８２ということにする。フィルタ素子８０Ａの円中心位置には、フィルタ素子８０Ａを厚さ方向Ｔ（図９における上下方向）に貫通する丸い開口８３が形成されている。
【００９１】
第１円形面８１において、開口８３から第１円形面８１の外周縁よりも手前までの領域（交差する斜線のハッチングを付した領域）には、第１凹部２１および第２凹部３２の一方（ここでは、第１凹部２１とする）が、前述した所定の配列パターンで配列されている。また、第２円形面８２において、開口８３から第２円形面８２の外周縁よりも手前までの領域（厚さ方向Ｔから見て、第１円形面８１においてハッチングを付した領域と重なる領域）には、第１凹部２１および第２凹部３２の一方（第１凹部２１）が、前述した所定の配列パターンで配列されている。
【００９２】
第１円形面８１の外周部分において、周方向における複数個所には、切欠８４（位置決め部）が１つずつ形成されている。第２円形面８２の外周部分において、周方向における複数個所には、厚さ方向Ｔにおいて第２円形面８２から突出した爪８５（位置決め部）が１つずつ設けられている。
フィルタ素子８０Ｂは、フィルタ素子８０Ａと同じ大きさの円板形状である。フィルタ素子８０Ｂにおいて軸方向（厚さ方向Ｔ）おける両側には、円形状の面が１対形成されている。当該１対の面のうち、図９における上側の面を第１円形面９１といい、図９における下側の面を第２円形面９２ということにする。フィルタ素子８０Ｂの外周部分の少し内側には、当該外周部分と同心円をなす略円形状の開口９３が形成されている。フィルタ素子８０Ｂの厚さ方向Ｔ（図９における上下方向）から見て、開口９３は、周方向における途中の箇所（図９では２箇所）で途切れている。開口９３は、フィルタ素子８０Ｂを厚さ方向Ｔに貫通している。
【００９３】
第１円形面９１において、円中心から開口９３よりも手前までの領域（交差する斜線のハッチングを付した領域）には、第１凹部２１および第２凹部３２の他方（ここでは、第２凹部３２とする）が、前述した所定の配列パターンで配列されている。なお、当該領域には、第１円形面９１の円中心部分が除外されてもよい。また、第２円形面９２において、円中心から開口９３よりも手前までの領域（厚さ方向Ｔから見て、第１円形面９１においてハッチングを付した領域と重なる領域）には、第１凹部２１および第２凹部３２の他方（第２凹部３２）が、前述した所定の配列パターンで配列されている。
【００９４】
第１円形面９１の外周部分において、周方向における複数個所には、切欠９４（位置決め部）が１つずつ形成されている。第２円形面９２の外周部分において、周方向における複数個所には、厚さ方向Ｔにおいて第２円形面９２から突出した爪９５（位置決め部）が１つずつ設けられている。
このようなフィルタ素子８０Ａおよび８０Ｂを交互に積層することによって、フィルタ１を構成することができる。
【００９５】
すなわち、図９の場合では、フィルタ素子８０Ｂの第１円形面９１に対して、フィルタ素子８０Ａの第２円形面８２を対向させることによって、フィルタ素子８０Ｂ上にフィルタ素子８０Ａが積層される。このとき、フィルタ素子８０Ａの各爪８５が、フィルタ素子８０Ｂにおいて対応する（周方向で同じ位置にある）切欠９４に嵌まり込むことによって、フィルタ素子８０Ａおよびフィルタ素子８０Ｂ同士が位置決めされている。
【００９６】
なお、フィルタ素子８０Ａ上にフィルタ素子８０Ｂを積層する場合には、フィルタ素子８０Ａの第１円形面８１に対して、フィルタ素子８０Ｂの第２円形面９２を対向させる。このとき、フィルタ素子８０Ｂの各爪９５が、フィルタ素子８０Ａにおいて対応する（周方向で同じ位置にある）切欠８４に嵌まり込むことによって、フィルタ素子８０Ａおよびフィルタ素子８０Ｂ同士が位置決めされる。その結果、フィルタ素子８０の積層状態を安定させることができるので、完成したフィルタ１は、オゾン分解能力を安定して発揮することができる。
【００９７】
フィルタ素子８０を全部で５個積層して構成したフィルタ１が、図１０に示されている。このフィルタ１では、３つのフィルタ素子８０Ａと２つのフィルタ素子８０Ｂとの積層体によって構成されており、フィルタ素子８０Ａが、積層体の最上位（積層方向における一端）および最下位（積層方向における他端）をなしている。
この場合、積層方向において隣り合うフィルタ素子８０Ａおよび８０Ｂにおいて、第１円形面８１と第２円形面９２との間、および、第１円形面９１と第２円形面８２との間には、前述したジグザグ流路４０が形成されている。
【００９８】
詳しくは、フィルタ素子８０Ａの第１円形面８１とフィルタ素子８０Ｂの第２円形面９２との間では、第１円形面８１において隣り合う複数の第１凹部２１に対して、第２円形面９２の１つの第２凹部３２が対向するように、第１凹部２１および第２凹部３２がずれて対向されている。同様に、第２円形面９２において隣り合う複数の第２凹部３２に対して、第１円形面８１の１つの第１凹部２１が対向するように、第１凹部２１および第２凹部３２がずれて対向されている。これによって、第１円形面８１と第２円形面９２との間には、ジグザグ流路４０が形成されている。
【００９９】
また、フィルタ素子８０Ｂの第１円形面９１とフィルタ素子８０Ａの第２円形面８２との間では、第２円形面８２において隣り合う複数の第１凹部２１に対して、第１円形面９１の１つの第２凹部３２が対向するように、第１凹部２１および第２凹部３２がずれて対向されている。同様に、第１円形面９１において隣り合う複数の第２凹部３２に対して、第２円形面８２の１つの第１凹部２１が対向するように、第１凹部２１および第２凹部３２がずれて対向されている。これによって、第１円形面８１と第２円形面９２との間には、ジグザグ流路４０が形成されている。
【０１００】
ジグザグ流路４０は、フィルタ素子８０Ａの円中心の開口８３と、フィルタ素子８０Ｂの外周部分の開口９３とに連通している。図１０において、フィルタ１では、最上位のフィルタ素子８０Ａの開口８３が入口９７であり、最下位のフィルタ素子８０Ａの開口８３が出口９８であり、それ以外のフィルタ素子８０Ａの開口８３およびフィルタ素子８０Ｂの開口９３は、ジグザグ流路４０の一部である。この場合、ジグザグ流路４０全体は、図１０において太い破線矢印で示すように、入口９７から下方へ延びた後に、フィルタ素子８０の径方向外側へ向けてジグザグに進み、開口９３において折れ曲がって下方へ延びてからフィルタ素子８０の径方向内側へ向けてジグザグに進み、開口８３において折れ曲がって下方へ延びている。次いで、ジグザグ流路４０は、最上位から３番目と４番目のフィルタ素子８０の間においてフィルタ素子８０の径方向外側へ向けてジグザグに進み、開口９３において折れ曲がって下方へ延びてからフィルタ素子８０の径方向内側へ向けてジグザグに進み、開口８３において折れ曲がって下方へ延びて出口９８につながっている。このように、ジグザグ流路４０全体は、入口９７と出口９８とをつないでいる。
【０１０１】
このフィルタ１では、入口９７に気体を流入させ、この気体（流入した気体）を、ジグザグ流路４０経由で出口９８から流出させることができる。そして、この気体にオゾンが含まれている場合、オゾンは、ジグザグ流路４０を通ることによってフィルタ素子８０の径方向外側へ向かいながらジグザグに流れる際に、ジグザグ流路４０の流路側壁４０Ａに衝突する。オゾンは、流路側壁４０Ａに衝突するときのエネルギーによって、酸素になり、自然分解される。そのため、出口９８から流出した空気には、オゾンがほとんど含まれていない。
【０１０２】
また、第１凹部２１の開口２２および第２凹部３２の開口３３は、図１１（ａ）に示すように六角形であったが、図１１（ｂ）に示すように、丸形状であってもよいし、図１１（ｃ）に示すように四角形状であってもよい。ただし、第１凹部２１および第２凹部３２のそれぞれが、図１１（ａ）に示すように、六角形の開口２２，３３を有し、ハニカム状に配列されていることが望ましい。この場合、開口２２，３３の開口面積を大きくすることができ、第１凹部２１および第２凹部３２のそれぞれを、より多く（高密度で）配列できるので、ジグザグ流路４０を一層長くすることができる。また、ハニカム状に配列された第１凹部２１および第２凹部３２では、前述した格子部分４６および４７（図１および図２参照）において、高い強度を発揮できる。
【０１０３】
また、第１凹部２１の底面２３および第２凹部３２の底面３４は、図１２（ａ）に示すように第１面１１や第２面１２と平行な平坦面であったが、図１２（ｂ）に示すように円弧状に湾曲していてもよい。また、平面視における第１凹部２１の形状および大きさは、開口２２から底面２３までの間において同じであったが、途中で変化してもよい（第２凹部３２についても同様）。  
【０１０４】
また、図１〜図５に示したフィルタ素子２では、図１（ａ）における上面を、第１凹部２１が形成された第１面１１とし、図１（ｂ）における下面を、第２凹部３２が形成された第２面１２としているが、当該上面を第２面１２とし、当該下面を第１面１１としてもよい。
また、前述したようにフィルタ１を構成するフィルタ素子（フィルタ素子２やフィルタ素子８０）の大きさおよび数は、任意に変更可能である。また、フィルタ素子に形成される第１凹部２１および第２凹部３２の大きさ（深さも含む）および数も任意に変更可能である。これらの大きさおよび数は、フィルタ１に求められる大きさ（フィルタ１の配置スペースの大きさ）やオゾン分解性能に応じて、適宜選択される。
【０１０５】
また、ジグザグ流路４０の流路側壁４０Ａの表面（第１凹部２１および第２凹部３２の内面等）に凹凸を設けてもよい。そうすれば、ジグザグ流路４０を流れるオゾンを、この凹凸に衝突させることによって、一層効率的に自然分解させることができる。
また、活性炭等を用いた触媒によってオゾンを化学的に分解するフィルタ（「触媒フィルタ１００」と呼ぶことにする）を、フィルタ１ととともに用いても構わない。つまり、流出路５５および循環路６５の少なくともいずれかに、フィルタ１と共に触媒フィルタ１００を組み込んでもよい。これにより、オゾンをより効果的に分解することができる。その場合、図６および図８に示す流出路５５や循環路６５（バイパス流路６７も含む）において、空気の流れ方向における上流側にフィルタ１を配置し、フィルタ１よりも下流側に触媒フィルタ１００を配置するよい。そうすれば、フィルタ１が主となってオゾンを分解することから、触媒フィルタ１００の劣化を遅らせることができるので、触媒フィルタ１００は、単独で設けられる場合よりも長い期間において、オゾン分解性能を発揮できる。
【０１０６】
また、前述した洗濯機５０Ａおよび５０Ｂは、内槽５６の中心軸（図６および図８における１点鎖線）が上下に沿った縦型であるが、いわゆるドラム型であってもよい。ドラム型では、内槽５６は、その中心軸が上下方向に対して傾斜して延びるように、斜めに配置されている。ちなみに、ドラム型の洗濯機５０Ｂの場合には、縦型（図８参照）の場合よりも循環路６５を長く確保できるので、オゾンを、循環路６５を通すだけで自然分解できる。一方、図８に示す縦型の洗濯機５０Ｂの場合には、スペースの制約上、循環路６５が短くなってしまうが、循環路６５にフィルタ１を設けることによって、十分にオゾンを分解することができる。なお、ヒータ６９が生じた熱によってもオゾンが分解されるので、フィルタ１およびヒータ６９を用いてオゾンをより効果的に分解することができる。
【０１０７】
また、電気機器５０として、洗濯機５０Ａおよび５０Ｂを例示したが、たとえば、汚水をオゾンで処理する水処理装置や、衣類を乾燥させる際にオゾンで消毒できる乾燥機も挙げることができる。
【符号の説明】
【０１０８】
１      フィルタ
２      フィルタ素子
１１    第１面
１２    第２面
１７    開口部
２１    第１凹部
２２    開口
３２    第２凹部
３３    開口
４０    ジグザグ流路
４０Ａ  流路側壁
４１    入口
４２    出口
５０    電気機器
５０Ａ  洗濯機
５０Ｂ  洗濯機
５１    処理槽
５１Ａ  洗濯槽
５５    流出路
５５Ａ  一端
５６    内槽
５７    外槽
５７Ａ  外壁
６５    循環路
６５Ａ  一端
６５Ｂ  他端
６７    バイパス流路
６８    バルブ
８０    フィルタ素子
８０Ａ  フィルタ素子
８０Ｂ  フィルタ素子
１００  触媒フィルタ
Ｌ      長さ方向
【図１】
2014151111.tif 000003
【図２】
2014151111.tif 000004
【図３】
2014151111.tif 000005
【図４】
2014151111.tif 000006
【図５】
2014151111.tif 000007
【図６】
2014151111.tif 000008
【図７】
2014151111.tif 000009
【図８】
2014151111.tif 000010
【図９】
2014151111.tif 000011
【図１０】
2014151111.tif 000012
【図１１】
2014151111.tif 000013
【図１２】
2014151111.tif 000014